(57)【要約】【課題】火災感知器の重量が重くても、容易に火災感知器を取付具を介して天井へ取り付けることができるようにする。【解決手段】天井Ｔに取り付けられる本体３と、その本体に設けられ、火災感知器２０がスライドして取り付けられるレール部材９とにより火災感知器の取付具を構成する。火災感知器２０に取付用のアングル部２４を設け、そのアングル部を、レール部材９にスライドして取り付ける。本体を構成する箱体の側面に配線引出孔を設けた。【選択図】図４
2005122473.tif 000002
【特許請求の範囲】
【請求項１】
天井に取り付けられる本体と、該本体に設けられ、火災感知器がスライドして取り付けられるレール部材と、を備えたことを特徴とする火災感知器の取付具。
【請求項２】
前記火災感知器に取付用のアングル部を設け、該アングル部を前記レール部材にスライドして取り付けることを特徴とする請求項１記載の火災感知器の取付具。
【請求項３】
前記本体は、下面に開口部を備えた箱体からなることを特徴とする請求項１記載の火災感知器の取付具。
【請求項４】
前記箱体の側面に配線引出孔を設けたことを特徴とする請求項３記載の火災感知器の取付具。
【請求項５】
前記アングル部に、固定穴と仮止め穴を設けたことを特徴とする請求項２記載の火災感知器の取付具。
【発明の詳細な説明】
【技術分野】
【０００１】
本発明は火災感知器の取付具に関するものである。
【背景技術】
【０００２】
火災感知器は天井に予め設置されている感知器ベースに取り付けることで、天井に取り付けられるようになっている。この際、感知器ベースと火災感知器との取付方法としては、火災感知器を回転させることで、感知器ベースに係合させて取り付けるようにしている。（例えば特許文献１参照）。
【特許文献１】特開平５−２３３９７５号公報
【発明の開示】
【発明が解決しようとする課題】
【０００３】
小型で軽い火災感知器であれば、従来技術のような回転係合方式でも容易に火災感知器を取り付けることができる。しかし、特殊な用途によって、火災感知器が大型で重量が重い場合には、回転係合方式だと、取付作業が面倒であった。
【０００４】
そこで、本発明は、火災感知器が重くても、天井への取付作業を容易に行うことができるようにすることを目的とする。
【課題を解決するための手段】
【０００５】
本発明は以上の課題を解決するためになされたもので、天井に取り付けられる本体と、該本体に設けられ、火災感知器がスライドして取り付けられるレール部材とにより火災感知器の取付具を構成し、火災感知器に取付用のアングル部を設け、該アングル部を前記レール部材にスライドして取り付けることを特徴とするものである。
【発明の効果】
【０００６】
取付具を、天井に取り付けられる本体と、火災感知器がスライドして取り付けられるレール部材とから構成し、火災感知器に取付用のアングル部を設け、アングル部をレール部材にスライドして取り付けるようにしたので、火災感知器の重量が重くても、容易に火災感知器を取付具を介して天井へ取り付けることができる。本体を構成する箱体の側面に配線引出孔を設けたので、天井下面に配線を這わすことができる。
【発明を実施するための最良の形態】
【０００７】
図１は本発明の火災感知器の取付具の斜視図である。図２は図１のＡ−Ａ線断面図である。図３は火災感知器を背面側（天井設置側）からみた斜視図である。
図において、１は金属板などを折り曲げ加工して作られた、火災感知器の取付具で、天井に取り付けられる本体３から構成され、本体３は下面に開口部５を備えた箱体からなる。
【０００８】
箱体３の下部に設けられた底板７には、火災感知器がスライドして取り付けられる２本のレール部材９が設けられる。レール部材９は、底板７の縁部に設けられ、開口部５の幅とほぼ等しい長さを有している。図２に示すように、レール部材は、箱体３と別部材で構成され溶接などにより固定されているが、箱体３と同じ部材で一体に加工してもよい。レール部材９は、断面Ｌ型のアングル形状となっており、レール部材９と底板７のわずかな隙間に、後述する火災感知器のアングル部が入るようになっている。底板７上において、レール部材９の両端には、取付穴１０が形成されている。この取付穴１０において、箱体３の裏側には、ナットが溶接で固着されている。
【０００９】
箱体３の上方側部には、フランジ１１が設けられる。フランジ１１には、フランジ１１部分を天井に固定するための挿通穴が１２が形成されている。箱体３の側面には、配線引出孔１３が形成されており、使用しない時には、ゴムキャップなどで閉じておくようにしてもよい。
【００１０】
次に、図３を用いて火災感知器について説明する。２０は火災感知器である。
火災感知器２０は、放射線区域などに設置され、鉛やポリエチレンなどの放射線遮蔽部材によって、中心にある図示しない火災感知器本体を覆ってある。このため、通常の火災感知器よりも、大型で重量が重くなっている（例えば数ｋｇ）。なお、通常の火災感知器に本発明を適用するようにしてもよい。
【００１１】
火災感知器２０の背面側（天井設置側）には、平面長方形の基台２２がねじなどにより取り付けられている、基台２２の両側には、断面Ｌ型で天井面側へ折り曲げられた、取付用のアングル部２４が形成されており、このアングル部２４を、レール部材９にスライドさせて火災感知器２０が取付具１へ取り付けられる。アングル部２４の両端側には、固定用の固定穴２６が、また２つの固定穴２６の真ん中には、仮止め用の仮止め穴２７が一つ形成されている。２つの固定穴２６の間隔は、取付具１のレール部材９の両端に設けた取付穴１０の間隔と等しくなっている。
【００１２】
基台２２は火災感知器２０の直径よりも大きく、アングル部２４の部分が、火災感知器２０の周縁部からはみ出すような大きさになっている。またアングル部２４の長さは、取付具１にあるレール部材９の長さよりも長く形成されている。
【００１３】
続いて、火災感知器２０を天井に設置された取付具１に固定する場合について説明する。図４は取り付ける前段階の状態を示した図面、図５は火災感知器２０を取付具１へ装着した状態を示す図面で、図４，図５はそれぞれ９０度ずれた方向から見た状態を示している。なお、図４は、挿通穴１２，レール部材９の横に設けられた２つの取付穴及び開口部５を通る断面である。また説明の便宜上、火災感知器２０のアングル部２４の一部を断面で示してある。
【００１４】
火災感知器２０の取付けに先立って、取付具１は予め、天井Ｔへ固定されている。即ち、取付具１の底板７を下側に位置させた状態で、フランジ１１の挿通穴１２にボルトなどを通して、天井Ｔへ取付具１を固定しておく。そして、火災感知器２０を持って、アングル部２４の高さを、取付具１のレール部材９の高さに合わせる。高さが一致したら、火災感知器２０をスライドさせて、底板７とレール部材９との隙間にアングル部２４を通して、火災感知器２０を押し込む（図４の左側へ移動させる）。この取付作業の際、一度、アングル部２４がレール部材９にのれば、火災感知器２０の重量はレール部材９側へうつっていき、また作業者は火災感知器２０を前方に押し込むだけなので、重量が重くても、容易に火災感知器２０を取付具１へ取り付けることができる。
【００１５】
火災感知器２０の結線作業を行うにあたって、火災感知器２０は、レール部材９の終端まで押し込まず、アングル部２４の仮止め穴２７が手前側の取付穴１０の位置と重なったら、その位置で、２つの穴にボルトをねじ込み火災感知器２０を取付具１へ仮止めする。この位置では、アングル部２４のほぼ半分がレール部材９上にのっかているので、配線作業をするにあたって、火災感知器２０がぐらついたりはしない。
【００１６】
火災感知器２０の配線は、底板７の開口部５を通して、天井Ｔ側からの配線と結線する。また天井下面に直に信号線を這わす場合には、配線束を開口部５から箱体３内に押し込み、それから箱板３の側面のキャップを外して、配線引出孔１３から配線を引き出して、天井下面に信号線を這わせるようにする。
【００１７】
火災感知器２０の結線作業が終わったら、仮止めしていたボルトを外し、アングル部２４をそのままレール部材９にスライドさせて押し込む。そしてアングル部２４の２つの固定穴２６と、取付具１の２つの取付穴１０の位置が一致したら、そこにボルトをねじ込んで、底板７の裏側にあるナットにボルトを固定する。こうして火災感知器２０は取付具１によって天井Ｔに固定される。
【図面の簡単な説明】
【００１８】
【図１】本発明の火災感知器の取付具の斜視図である。
【図２】図１のＡ−Ａ線断面図である。
【図３】火災感知器を背面側（天井設置側）からみた斜視図である。
【図４】火災感知器を取り付ける前段階の状態を示した図面である。
【図５】火災感知器２０を取付具１へ装着した状態を示す図面である。
【符号の説明】
【００１９】
１  取付具、  ３  本体、  ５  開口部、  ７  底板、  ９  レール部材、
１０  取付穴、  １１  フランジ、  １２  挿通穴、  １３  配線引出穴、
２０  火災感知器、  ２２  基台、  ２４  アングル部、  ２６  固定穴、
２７  仮止め穴、
【図１】
2005122473.tif 000003
【図２】
2005122473.tif 000004
【図３】
2005122473.tif 000005
【図４】
2005122473.tif 000006
【図５】
2005122473.tif 000007